(57)【要約】【課題】横シール装置の大型化を回避しつつ、高速化が可能で、しかも袋のサイズの点で汎用性に富む製袋包装機を提供することを課題とする。【解決手段】コントロールユニット６０は、一対のシールジョーを回転軸回りに駆動するサーボモータ２４と、前後一対の回転軸を水平方向で互いに接近離反するように駆動するサーボモータ２５とを協働させることにより、シールジョーを所定のシールモードで作動させる。その場合、コントロールユニット６０のメモリ６０ａは、各サイズの製袋をそれぞれ可能にする複数のシールモードを記憶しており、操作パネル６１を介してこれらのシールモードから袋サイズに応じて所定のシールモードを選定する。【選択図】    図４
2004155464.tif 000002
【特許請求の範囲】
【請求項１】
下方に搬送される帯状の包材の左右両側縁部を重ね合わせて筒状に曲成し、該筒状包材を重ね合わせ部で縦シール手段によって長さ方向にシールすると共に横シール手段によって幅方向にシールして袋に成形しつつ、該袋内へ物品を投入する製袋包装機であって、前記横シール手段は、前記筒状包材を挟み付けて溶着する一対のシールジョーと、これらをそれぞれの回転軸回りに駆動する回転駆動手段と、前記両回転軸を水平方向で互いに接近離反するように駆動する水平駆動手段と、前記回転駆動手段と水平駆動手段とを協働させて一対のシールジョーを所定のシールモードで作動させる制御手段とを有すると共に、そのシールモードとして複数のモードを記憶したモード記憶手段と、包材の種類に応じて該記憶手段に記憶されている複数のモードからいずれかのシールモードを選択して設定するモード設定手段とを有することを特徴とする製袋包装機。
【請求項２】
前記シールモードは、連続搬送中の前記筒状包材の搬送速度とシール期間中の前記両シールジョーの移動速度とを同期させる第１のシールモードと、横シール後、該第１のシールモードの場合よりも速い速度で両シールジョーを互いに離反させる第２のシールモードと、筒状包材を間欠搬送中に該第２シールモードで両シールジョーを作動させる第３のシールモードと、該第３のシールモードの場合よりも両シールジョーの回転軸の水平方向の離間距離を大きくさせる第４のシールモードとを有していることを特徴とする請求項１に記載の製袋包装機。
【請求項３】
前記第４のシールモードにおいて、前記回転軸の水平方向の離間距離は、前記袋の種類に基づいて設定されることを特徴とする請求項２に記載の製袋包装機。
【請求項４】
前記回転軸ごとに複数のシールジョーが設けられていることを特徴とする請求項１から請求項３のいずれかに記載の製袋包装機。
【発明の詳細な説明】
【０００１】
【発明の属する技術分野】
本発明は、袋を成形しながらその袋に物品を封入して袋詰め商品を連続生産する製袋包装機、詳しくは横シール手段の駆動制御に関し、物品包装の技術分野に属する。
【０００２】
【従来の技術】
一般に、スナック菓子等の袋詰め商品を連続生産するのに用いられる縦型製袋包装機は、上下に延びるチューブの周囲に帯状の包材を巻き付けて筒状に曲成し、該筒状包材を下方に搬送しながら重ね合わせ部を長手方向に縦シールしたのち、所定の間隔を置いて幅方向に横シール及び切断を行って袋を連続的に生産しつつ、その製袋過程において、例えば組合せ計量装置の集合シュートから排出されて前記チューブに順次投入される物品を個々の袋に封入していくものである。
【０００３】
製袋包装機において、このような連続生産を効率よく実現するための横シール装置として、適正なシール時間の確保を目的に、筒状包材の搬送経路を挟んで対向配置された一対のシールジョーを側面視で略Ｄ字状の軌跡を描くように移動させることで、該シールジョーを搬送中の包材に追随させるように構成したものがある（例えば、特許文献１参照）。
【０００４】
この横シール装置は回転軸に固定された連結部材とカムフォロアとシールジョーとを有しており、カムに対して回転軸とカムフォロアとを回転させ、かつ、カムに対して回転軸を水平方向に相対移動可能とすることにより、シールジョーのＤ字状移動が実現される。そして、回転軸を水平方向に移動させるため、カムのほぼ中心部に水平方向に延びる長穴が形成されており、回転軸はこの長穴の形成された範囲内で移動するようになっている。
【０００５】
【特許文献１】
特開２０００−２０３５３１号公報（第６−９頁、図６）
【０００６】
【発明が解決しようとする課題】
ところで、この種の横シール装置では、カムにおいて長穴の形成される範囲が制限されるから、シール可能な袋の大きさが制限されるという問題がある。すなわち、一対のカム及び回転軸間の空間を大サイズの筒状包材が通過するためには、長穴を長く形成してカムに対する回転軸の相対移動距離を大きくしなければならない。そうすると、カムやカムフォロアを連結する部材等の大型化を招くことになり、横シール装置の占有スペースが大きくなるという問題が生じるのである。
【０００７】
そこで、本発明は、以上の現状に鑑み、横シール装置の大型化を回避しつつ、高速化が可能で、しかも袋のサイズの点で汎用性に富む製袋包装機を提供することを課題とする。
【０００８】
【課題を解決するための手段】
前記課題を解決するため、本発明は次のように構成したことを特徴とする。
【０００９】
まず、請求項１に記載の発明は、下方に搬送される帯状の包材の左右両側縁部を重ね合わせて筒状に曲成し、該筒状包材を重ね合わせ部で縦シール手段によって長さ方向にシールすると共に横シール手段によって幅方向にシールして袋に成形しつつ、該袋内へ物品を投入する製袋包装機において、前記横シール手段は、前記筒状包材を挟み付けて溶着する一対のシールジョーと、これらをそれぞれの回転軸回りに駆動する回転駆動手段と、前記両回転軸を水平方向で互いに接近離反するように駆動する水平駆動手段と、前記回転駆動手段と水平駆動手段とを協働させて一対のシールジョーを所定のシールモードで作動させる制御手段とを有すると共に、そのシールモードとして複数のモードを記憶したモード記憶手段と、包材の種類に応じて該記憶手段に記憶されている複数のモードからいずれかのシールモードを選択して設定するモード設定手段とを有することを特徴とする。
【００１０】
この発明によれば、シールジョーの回転軸を回転駆動及び水平駆動することにより、シールジョーが連続製袋に適した略Ｄ字状の軌跡を描いて移動することが可能となるから、高速化を達成することができる。また、製袋する袋の例えば幅や厚み等に応じて、回転駆動及び水平駆動手段を協働させることによってシールジョーを所定のシールモードで作動させるから、１機で多様なサイズの製袋が可能な汎用性に富む製袋包装機が実現される。しかも、構成部材の大型化を必要としないため、いたずらに装置の大型化を招くことはない。
【００１１】
次に、請求項２に記載の発明は、前記請求項１に記載の製袋包装機において、前記シールモードは、連続搬送中の前記筒状包材の搬送速度とシール期間中の前記両シールジョーの移動速度とを同期させる第１のシールモードと、横シール後、該第１のシールモードの場合よりも速い速度で両シールジョーを互いに離反させる第２のシールモードと、筒状包材を間欠搬送中に該第２シールモードで両シールジョーを作動させる第３のシールモードと、該第３のシールモードの場合よりも両シールジョーの回転軸の水平方向の離間距離を大きくさせる第４のシールモードとを有していることを特徴とする。
【００１２】
この発明によればシールモードが具体化され、まず、第１のシールモードを設定すると、シールジョーの動作は常時連続搬送される筒状包材に対応可能であるから、通常包材を間欠搬送しなくてよい比較的小サイズの製袋に好適で、この場合の製袋を高速で行うことができる。
【００１３】
また、第１のシールモードを設定して比較的中サイズの製袋を行う場合、シールジョーがＤ字状軌跡において直線移動から回転移動に移行する際、筒状包材の底部の厚みが小サイズの場合より大きいためシールジョーがこの底部に干渉し、筒状包材を持ち上げたり或いは包材や包材内の物品を損傷することがある。それに対して第２のシールモードを設定すると、シールジョーはシール後に直線移動から一層高速とされた回転移動に移行するから、シールジョーは包材の底部に干渉することがなくなり、もって前記不具合が未然に回避される。
【００１４】
さらに、第３のシールモードを設定すると、前記第２のシールモードを設定した場合の作用効果に加え、筒状包材の搬送が停止されている期間中に、例えばシェーキング手段を用いて包材内の物品の嵩密度を高めることができるから、比較的中サイズないし大サイズの製袋を良好に行うことができる。
【００１５】
そして、第４のシールモードを設定すると、回転軸の水平方向の離間距離を大きくすることにより、回転軸間の空間を通過する筒状包材を大径化することができるから、前記第３のシールモードを設定した場合よりも、さらに大サイズの製袋が可能となる。
【００１６】
また、請求項３に記載の発明は、前記請求項２に記載の製袋包装機において、前記第４のシールモードにおいて、前記回転軸の水平方向の離間距離は、前記袋の種類に基づいて設定されることを特徴とする。
【００１７】
この発明によれば、第４のシールモードをさらに具体化することができ、比較的大サイズの製袋を行う場合のシールジョーの動作を、一層適正に設定することが可能となる。
【００１８】
そして、請求項４に記載の発明は、前記請求項１から請求項３のいずれかに記載の製袋包装機において、前記回転軸ごとに複数のシールジョーが設けられていることを特徴とする。
【００１９】
この発明によれば、１回転ごとに複数の横シール部が形成されるから、つまり複数個の製袋が行われるから、同一回転速度の場合、回転軸ごとに単一のシールジョーが備えられた横シール装置に比較して確実に高速化が実現される。
【００２０】
【発明の実施の形態】
以下、本発明の実施の形態に係る製袋包装機について説明する。なお、以下の記載において、「前、後」とあるのは、正面視でそれぞれ手前側、奥方側を、また、「左、右」とあるのは、同じく正面視でそれぞれ左側、右側を意味する。
【００２１】
図１に示すように、この製袋包装機１は上下に延びる縦型タイプのもので、上部が漏斗形状とされると共に下部が円筒形状とされて、図示しない直上方の組合せ計量装置によって所定重量に計量された物品が投入されるチューブ２を有している。また、このチューブ２の上部には、図示しないロール支持部から矢印ａで示すように繰り出された帯状の包材Ｆａの左右両縁部を重ね合わせて筒状とするフォーマ３が設けられている。
【００２２】
そして、チューブ２の左右両側には、帯状の包材Ｆａを該チューブ２の左右両側面に押し付けながら矢印ｂで示すよう下方へ搬送する一対のプルダウンベルト（一方のみ図示）４，４が配置されていると共に、該チューブ２の前面には、包材Ｆａの重ね合わせ部をシールして筒状に成形する縦シール装置５が配置されている。
【００２３】
また、プルダウンベルト４，４や縦シール装置５の下方には、筒状に成形された包材Ｆｂに投入された物品の嵩密度を高めるためのシェ−キング装置６が配置され、さらに下方には、筒状包材Ｆｂを前後両側から挟み付けて、該包材Ｆｂの所定位置をシールすると共にそのシール部近傍を幅方向に切断することにより、筒状包材Ｆｂに底部を形成すると同時に、物品Ｘ…Ｘが収容された筒状包材Ｆｂの上端部をシールして袋Ｆｃとする横シール装置７が配置されている。
【００２４】
シェーキング装置６は、底部が形成されて物品Ｘ…Ｘが投入された図中鎖線で示す筒状包材Ｆｂの比較的上方の所定部位をクランプした状態で上下に揺動するもので、例えば特開２０００−９５２０５号公報に記載のものが適用可能である。すなわち、シェーキング装置６は、筒状包材Ｆｂをクランプする前後一対のシャッタ部材１１，１１と、該シャッタ部材１１，１１を矢印ｃ，ｃで示すように開閉するためのシリンダ１２と、該シャッタ部材１１，１１を矢印ｄで示すように上下に揺動するためのサーボモータ１３とを有している。
【００２５】
そして、横シール装置７は前後一対の横シール機構７ａ，７ａを有しており、各横シール機構７ａは、回転軸２１に固定された連結部材２２の両端部にそれぞれシールジョー２３，２３が支持されたツインジョータイプのものである。この横シール装置７には、回転軸２１，２１を矢印ｅ，ｅで示すように回転駆動するサーボモータ２４と回転軸２１，２１を矢印ｆ，ｆで示すように水平駆動するサーボモータ２５とが配設されており、各横シール機構７ａの各シールジョー２３は符号ｇで示すように側面視で略Ｄ字状に移動する。すなわち、両サーボモータ２４，２５の駆動により、各横シール機構７ａの各シールジョー２３は回転軸２１回りに回転すると共に、他方の横シール機構７ａの各シールジョー２３と筒状包材Ｆｂを介して対接する期間中は垂直に移動する。
【００２６】
前後の横シール機構７ａ，７ａは類似の構成とされているので、一方の横シール機構７ａの構成につき、図２及び図３に基いて詳しく説明する。
【００２７】
まず、この横シール機構７ａは左右一対の連結部材２２，２２を有し、各連結部材２２の両端部には、一対の回動部材３１，３１と、カムフォロア３２，３２と、ベース部材３３，３３とが備えられている。また、各連結部材２２の長手方向の両側部には、一対のスプリング３４，３４が配設されている。
【００２８】
回動部材３１は、一端が回動軸３５を介して連結部材２２の外側に回動自在に支持されている。そして、回動軸３５は、連結部材２２を内側に貫通して、左右の連結部材２２，２２間に配置されると共にシールジョー２３を支持するベース部材３３に固定されている。つまり、ベース部材３３及びシールジョー２３は回動部材３１と一体に回動する。
【００２９】
カムフォロア３２は、回動部材３１の他端寄りの外側面に回転自在に立設され、連結部材２２の外側に配置された図例の形状のカム３６のカム面に摺接する。
【００３０】
スプリング３４は、回動部材３１の回動軸３５側の端部とはカムフォロア３２を挟んで反対側の端部と、連結部材２２の当該回動部材３１が備えられた端部とは回転軸２１を挟んで反対側の端部近傍とにわたって配設されている。このスプリング３４は、回動部材３１に設けられたカムフォロア３２をカム３６のカム面方向に付勢する。
【００３１】
回転軸２１は左右方向に延び、前述したように両側の連結部材２２，２２はこの回転軸２１に固定されている。また、回転軸２１の右側端部はカム３６及び該カム３６を固定支持する移動板３７を貫通して図示しない支持フレームの外側に突出し、シュミットカップリング３８を介して回転駆動用サーボモータ２４に連結されている。一方、回転軸２１の左側端部はカム３６及び移動板３７を貫通して支持フレームの外側に突出し、突出部分に図示しない電力供給用のスリップリングが設けられている。その場合、回転軸２１は、カム３６及び移動板３７とは相対回転可能、かつ水平方向には相対移動不能に配置されている。なお、シュミットカップリング３８は、平面的に固定されて回転駆動用サーボモータ２４に連結されている入力軸に対して回転軸２１が平面的に移動して両者の軸心距離が変わった場合にも、入力軸の回転を回転軸２１に伝達するものである。また、本実施の形態では、単一の回転駆動用サーボモータ２４によって、前後の回転軸２１，２１が回転可能とされている。
【００３２】
シールジョー２３は、回転軸２１に沿って左右方向に延び、該シールジョー２３を加熱して筒状包材Ｆｂを溶着して袋Ｆｃを形成するための図示しないヒータを内蔵している。また、後方側の横シール機構７ａのシールジョー２３，２３は、ソレノイド等の適宜手段によって駆動されて横シール部近傍を幅方向に切断する図示しないカッタを収容している。もちろん、前方側の横シール機構７ａにカッタを備えてもよい。なお、前記スプリットリングは、これらヒータやソレノイド等へ電力を供給するために設けられたものである。
【００３３】
次に、図２に基き、横シール装置７において、左右両側に配置された片側一対の移動板３７，３７を介し、前後の回転軸２１，２１を水平方向で互いに接近離反させる構造について説明する。
【００３４】
移動板３７，３７は矩形状の部材で、中央部において回転軸２１，２１を回転自在に支持している。各移動板３７の外側面の上下左右には都合４個のガイド部材（上側の２個のみ図示）４１…４１が設けられており、これらのガイド部材４１…４１は、図示しない支持フレームに設けられて前後方向に延びる上下一対のレール部材（同じく上側のみ図示）４２，４２にスライド自在に係合している。
【００３５】
一方、奥方側の適宜位置に、水平駆動用サーボモータ２５が配設されている。このサーボモータ２５の出力軸にはボールねじ４３が連結されており、該ボールねじ４３に第１及び第２ナット部材４４，４５が螺合している。そして、前記ボールねじ４３と水平方向で直交するように第１及び第２連結ロッド４６，４７が配置されている。また、前後方向に沿って第３連結ロッド４８と、該第３連結ロッド４８と平行に第４連結ロッド４９とが配置されている。
【００３６】
その場合、第１連結ロッド４６は継手部材５０を介して第３連結ロッド４８に連結され、そして、第３連結ロッド４８は後方側の移動板３７をスライド自在に貫通すると共に先端は前方側の移動板３７の側端面に固定されている。また、第２連結ロッド４７は継手部材５１を介して第４連結ロッド４９に連結され、そして、第４連結ロッド４９の先端は後方側の移動板３７の側端面に固定されている。
【００３７】
さらに、前記ボールねじ４３の第１ナット部材４４が螺合する部分と第２ナット部材４５が螺合する部分とは、互いに逆ねじとされている。
【００３８】
なお、前記ガイド部材４１…４１及びレール部材４２，４２で構成されるガイド機構は左右両側に設けられており、これによって移動板３７…３７は前後方向に安定的に移動する。
【００３９】
このような構造としたことにより、ボールねじ４３の正逆方向の回転に伴い、第１〜第４連結ロッド４６〜４９を介して前後の移動板３７…３７ひいては前後の回転軸２１，２１を水平方向で互いに接近離反させることが可能となる。
【００４０】
次に、図４に示すように、製袋包装機１には、該包装機１を総括的に制御するコントロールユニット６０が備えられている。このコントロールユニット６０は、例えば製袋包装機１を操作するための操作パネル６１からの操作信号を入力して、製袋する袋Ｆｃのサイズに応じてメモリ６０ａに記憶されている複数のシールモードから、入力信号に対応するシールモードを選択して設定する。そして、コントロールユニット６０は、このシールモードに基いて回転駆動用及び水平駆動用サーボモータ２４，２５に制御信号を出力し、これらの駆動を制御する。
【００４１】
ここで、図１、図３、図５、及び図６を用いて、この製袋包装機１の基本動作について説明すると、まず、ロール保持部から供給された帯状包材Ｆａはフォーマ３を介してチューブ２に巻き付けられて筒状に成形されながら、プルダウンベルト４，４によって下方へ搬送される。そして、筒状包材Ｆｂの重ね合わせ部が縦シール装置５によってシールされる。そのとき、組合せ計量装置から所定重量に計量された物品Ｘ…Ｘがチューブ２を介して底部が形成された筒状包材Ｆｂに投入されると、横シール装置７によって包材Ｆｂの上端部がシールされて、物品Ｘ…Ｘが封入された袋Ｆｃと同時に筒状包材Ｆｂの新たな底部が形成される。そして、生産された袋Ｆｃは、図示しない搬出手段によって次工程に搬送される。
【００４２】
その場合、横シール装置７において、回転駆動用サーボモータ２４によって回転軸２１，２１が矢印ｅ，ｅで示すように回転すると、都合４つのシールジョー２３…２３が連結部材２２，２２を介して回転軸２１，２１回りに円運動をする。そして、各横シール機構７ａにおいて、一対の回動部材３２，３２に設けられたカムフォロア３２，３２がカム３６を挟み込むようにカム面を摺動する。
【００４３】
図５に示すように、横シール前であって、前後のシールジョー２３，２３が筒状包材Ｆｂを介して対接していない状態では、シールジョー２３，２３の先端が包材Ｆｂを挟んで上方を向くように、そして、図３に示すように、横シール時には、前後のシールジョー２３，２３の先端が対向するように、カム３６，３６のカム面は形成されている。その場合、図５に示す状態から図３に示す状態に移行する間に、水平駆動用サーボモータ２５の駆動により、両回転軸２１，２１は一旦互いに接近したのち離反する方向に移動する。
【００４４】
横シール時には、前後一対のシールジョー２３，２３は下方に搬送される筒状包材Ｆｂの搬送速度に同期して移動し、先行する袋Ｆｃの上端部と後続する包材Ｆｂの下端部とが同時にシールされると共に横シール部のほぼ中間位置がカッタによって切断される。
【００４５】
さらに回転軸２１，２１が回転すると、図６に示すように、前後のシールジョー２３，２３の先端が筒状包材Ｆｂを挟んで下方を向くように、カム３６，３６のカム面は形成されている。その場合、図３に示す状態から図６に示す状態に移行する間に、水平駆動用サーボモータ２５の駆動により、両回転軸２１，２１は一旦互いに接近したのち離反する方向に移動する。
【００４６】
この横シール装置７では、回転軸２１，２１を回転駆動及び水平駆動することによってシールジョー２３…２３のＤ字状移動を可能としたから、高速化を達成することができる。しかも、ツインジョータイプとされているから、シングルジョータイプの場合に比較してさらなる高速化が可能となる。また、回転軸２１，２１を回転駆動する際、横シール前と横シール後とにおいて、回転軸２１，２１を互いに離反させるように水平移動することにより、回転軸２１，２１と共にカム３６，３６を水平方向に移動させることができるから、例えばカム３６，３６を小サイズに維持しつつ、両横シール機構７ａ，７ａ間の空間を広く確保することができる。したがって、構成部品の大型化を招くことなく、大サイズの袋Ｆｃの製袋にも対応可能な製袋包装機１が実現される。
【００４７】
加えて、この横シール装置７では、シール時の物品Ｘの噛み込み不良にも対応することができる。すなわち、図７に示すように、前後のシールジョー２３，２３が包材Ｆｂ内の物品Ｘを噛み込んだ場合、各シールジョー２３，２３の下部に作用する物品Ｘからの押圧反力によって、前方側（図例では左側）の回動部材３１はスプリング３４の付勢力に抗して回動軸３５回りに下方に回動すると共に、カムフォロア３２はカム３６のカム面から離反する。一方、後方側（同じく右側）の回動部材３１は、シールジョー２３の下部が押圧反力を受けたとき、カムフォロア３２がカム３６のカム面から離反しないように構成されている。つまり、後方側の回動部材３１は、前方側の回動部材３１と同方向への回動が禁止されており、逆方向へのみ回動可能とされている。
【００４８】
こうすることにより、物品Ｘの噛み込みが生じたとしても、両シールジョー２３，２３は異なる方向へ傾動するから、両シールジョー２３，２３が物品Ｘを押しつぶしたり、或いはシールジョー２３，２３自体が損傷することが抑制されるようになる。なお、図例と異なってシールジョー２３，２３の上部で物品Ｘの噛み込みが生じた場合には、前方側の回動部材３１は、前述とは反対の方向つまり上方に回動する。また、シールジョー２３，２３の中央部で物品Ｘの噛み込みが生じた場合には、押圧反力の強い部位に応じた回動部材３１の動作が行われる。
【００４９】
そして、この製袋包装機１では、製袋する袋Ｆｃのサイズに応じて横シール装置７が実行するシールモードを設定することができる。例えば、オペレータが操作パネル６１を操作して該当する袋サイズのキーを押下すると、その信号を入力したコントロールユニット６０は、メモリ６０ａに記憶されている複数のシールモードから入力信号に対応するシールモードを選択した上で、横シール装置７に備えられた回転駆動用及び水平駆動用サーボモータ２４，２５に制御信号を出力する。
【００５０】
以下、いくつかのシールモードが設定された場合の横シール装置７の動作について説明するが、本発明の特徴を簡潔に表すため、便宜上１つのシールジョー２３の動作に限定して説明する。
【００５１】
まず、第１のシールモードは、筒状包材Ｆｂが連続的に搬送されるのに伴い、シールジョー２３を回転軸２１回りに連続的に回転させるモードである。すなわち、図１に示すように、例えばシールジョー２３の回転軸２１は、横シール前と横シール後とでは細い鎖線で示す位置に停止して回転し、かつ横シール期間中はこの鎖線で示す位置と実線で示す位置との間を移動しながら回転する。細い鎖線で示す回転軸２１，２１の離間距離Ｍは、当該包装機１の生産能力や袋Ｆｃの長さ等に応じて決定される筒状包材Ｆｂの搬送速度と横シールに必要な時間とから算出される横シール期間中の直線移動距離Ｌと、シールジョー２３の回転半径Ｒとに基いて設定され、通常この離間距離Ｍより小径のチューブ２を用いた製袋が行われる。
【００５２】
図８に示すように、シールジョー２３が回転軸２１回りに連続的に回転する場合、時刻ｔ１，ｔ２間では、回転駆動用サーボモータ２４の回転駆動速度はそれまでの速度Ｖから直線的に減速される。次いで時刻ｔ２，ｔ３間は横シールが実行される横シール期間Ｔｓｅで、この期間Ｔｓｅでは、回転駆動用サーボモータ２４が回転軸２１を図例のように回転駆動速度を減速したのち加速するように駆動すると共に、水平駆動用サーボモータ２４が前後の回転軸２１，２１を前記離間距離Ｍに対して一旦離反させたのち接近させて再び離間距離Ｍを保つように駆動することにより、シールジョー２３は筒状包材Ｆｂの搬送速度に同期して直線移動する。そして、時刻ｔ３，ｔ４間では回転駆動速度は速度Ｖまで直線的に加速され、時刻ｔ４から次回の時刻ｔ１までの期間では速度Ｖに維持される。ここで、時刻ｔ１から次回の時刻ｔ１までの期間が横シールの１サイクル期間Ｔｃで、この１サイクルで１つの横シール部つまり１個の袋Ｆｃが生産される。
【００５３】
第１のシールモードに基いて横シール装置７を作動させると、前記サイクルが繰り返されることによって、連続的に搬送される筒状包材Ｆｂに対応可能であるから、通常包材Ｆｂを間欠的に搬送しなくてよい比較的小サイズの製袋に好適で、この場合の製袋を高速で行うことができる。
【００５４】
次に、第２のシールモードは、前記第１のシールモードと同様に、筒状包材Ｆｂが連続的に搬送されるのに伴い、シールジョー２３を回転軸２１回りに連続的に回転させるモードを基本とする。
【００５５】
図９に示すように、シールジョー２３が回転軸２１回りに連続的に回転する場合、時刻ｔ１，ｔ２間では、回転駆動用サーボモータ２４の回転駆動速度はそれまでの速度Ｖから減速される。次いで時刻ｔ２，ｔ３間は横シール期間Ｔｓｅで、前述したようにこの期間Ｔｓｅでは、シールジョー２３は筒状包材Ｆｂの搬送速度に同期して直線移動する。そして、特徴的なこととして時刻ｔ３，ｔ４間では、回転駆動速度が速度Ｖを上回る速度Ｖ１まで直線的に加速される。時刻ｔ４，ｔ５間で回転駆動速度は速度Ｖ１に維持されたのち、時刻ｔ５，ｔ６間で速度Ｖまで減速され、時刻ｔ６，ｔ７間ではこの速度Ｖに維持される。その後、これまでの高速で回転した分つまり時刻ｔ４′，ｔ６間を埋め合わせるための措置が時刻ｔ７，ｔ８間でとられ、回転駆動速度は一旦速度Ｖを速度Ｖ１だけ下回る速度Ｖ２とされたのち、時刻ｔ８から次回の時刻ｔ１までの期間では所定の速度Ｖに維持される。すなわち、時刻ｔ４′，ｔ８間の回転駆動速度が見かけ上速度Ｖに維持されるように、回転軸２１が駆動されるのである。ここで、時刻ｔ１から次回の時刻ｔ１までの期間が横シールの１サイクル期間Ｔｃで、この１サイクルで１個の袋Ｆｃが生産される。なお、横シール期間Ｔｓｅ中、前後の回転軸２１，２１の水平方向における移動は前記第１のシールモードにおけると同様であるので、説明を省略する。
【００５６】
比較的中サイズの製袋を行う場合、筒状包材Ｆｂの底部の厚みが小サイズの場合より大きいため、シールジョー２３がＤ字状軌跡において直線移動から回転移動に移行する際、シールジョー２３がこの底部に干渉し、包材Ｆｂを持ち上げたり或いは包材Ｆｂや包材Ｆｂ内の物品Ｘ…Ｘを損傷することがある。そのような場合、第２のシールモードに基いて横シール装置７を作動させると、横シール期間Ｔｓｅ後は直線移動から一層高速とされた回転移動に移行するから、シールジョー２３は包材Ｆｂの底部に干渉することがなくなり、もって前記不具合が未然に回避される。
【００５７】
また、第３のシールモードは、筒状包材Ｆｂを間欠的に搬送させると共にシールジョー２３を間欠的に回転させるモードである。この場合、例えば図１において符号ｙで示すような所定位置で停止しているシールジョー２３が回転を開始すると、シールジョー２３は回転中に前記第２のシールモードにおけると同様の動作を実行し、このシールジョー２３が１８０°回転したのち再び停止する間に、１回の横シールを実行して袋Ｆｃを１個生産するというものである。
【００５８】
図１０に示すように、このシールモードでは、回転駆動用サーボモータ２４は時刻ｔ１で回転軸２１を回転させ始め、時刻ｔ２，ｔ３間では回転駆動速度を速度Ｖに維持したのち、時刻ｔ３，ｔ１１間は前述の第２のシールモードにおける時刻ｔ１から次回の時刻ｔ１までの期間と同様の回転駆動を行う。次いで、時刻ｔ１１，ｔ１２間で回転駆動速度は減速され、時刻ｔ１２から次回の時刻ｔ１までの期間では回転は停止される。この停止期間中、筒状包材Ｆｂの搬送も停止されている。
【００５９】
そして、筒状包材Ｆｂの搬送とシールジョー２３の回転とが停止している所定期間Ｔｓｈ中に、例えばシェ−キング装置６を作動させることができる。すなわち、シャッタ開閉用シリンダ１２が駆動して前後一対のシャッタ部材１１，１１を閉じて、これらのシャッタ部材１１，１１が底部が形成された筒状包材Ｆｂの上端部をクランプし、かつ、揺動用サーボモータ１３が駆動してシャッタ部材１１，１１を上下に揺動することにより、筒状包材Ｆｂに投入された物品Ｘ…Ｘの嵩密度が高められることになる。このシェーキング期間Ｔｓｈが経過して次回の時刻ｔ１に至ると、揺動が停止されてシャッタ部材１１，１１が開かれると同時に、筒状包材Ｆｂの搬送とシールジョー２３つまり回転軸２１の回転とが再開される。ここで、時刻ｔ１から次回の時刻ｔ１までの期間が横シールの１サイクル期間Ｔｃで、この１サイクルで１個の袋Ｆｃが生産される。なお、横シール期間Ｔｓｅ中、前後の回転軸２１，２１の水平方向における移動は前記第１のシールモードにおけると同様であるので、説明を省略する。
【００６０】
こうすることにより、前記第２のシールモードを設定した場合の作用効果に加え、筒状包材Ｆｂの搬送及び回転軸２１の回転が停止されている期間中にシェーキング装置６を用いて筒状包材Ｆｂ内の物品Ｘ…Ｘの嵩密度を高めることができるから、物品Ｘ…Ｘが嵩高いと生じ易い横シール時の物品Ｘの噛み込み不良等の不具合が回避される。したがって、第３のシールモードに基いて横シール装置７を作動させると、投入された物品Ｘ…Ｘの嵩密度を高める必要が往々にしてある比較的中サイズないし大サイズの製袋を良好に行うことができる。
【００６１】
そして、第４のシールモードは、前後の回転軸２１，２１の水平方向の離間距離が前記第３のシールモードの場合に比較して大きくなるように横シール装置７を作動させるモードである。
【００６２】
図１１に示すように、回転駆動用サーボモータ２４は、時刻ｔ１，ｔ１２間では前記第３のシールモードにおける時刻ｔ１，ｔ１２間と同様に、回転軸２１を駆動する。そして、筒状包材Ｆｂの搬送及び回転軸２１の回転が停止中の時刻ｔ１２から次回の時刻ｔ１までの間に、所定のシェーキング期間Ｔｓｈにおいて、第３のシールモードにおけると同様にシェーキング装置６によって包材Ｆｂ内の物品Ｘ…Ｘの嵩密度を高める。加えて、特徴的なこととして回転の停止期間中に、水平駆動用サーボモータ２５は、図１において太い鎖線で示すように両回転軸２１，２１の離間距離を広げて両回転軸２１，２１間に広い空間を形成させたのち、両回転軸２１，２１の離間距離を狭めて細い鎖線で示す所定の位置に停止させると共に、その間に所定の期間Ｔｐを確保するように駆動する。次回の時刻ｔ１に達して筒状包材Ｆｂの搬送及び回転軸２１の回転が再開されると、回転軸２１の水平方向における移動は時刻ｔ４，ｔ５間に示されているように行われる。この動作は前述した通りである。
【００６３】
その場合、広げられた回転軸２１，２１つまり図１において太い鎖線で示す回転軸２１，２１の水平方向の離間距離は、チューブ２の直径つまり筒状包材Ｆｂの直径ひいては製袋する袋Ｆｃの直径或いは幅に基いて設定される。すなわち、水平駆動用サーボモータ２５は、シール前やシール後の回転停止時の離間距離がチューブ２の直径よりも大きくなるように、そして、横シール動作のために回転を開始すると所定の離間距離Ｍとなるように、回転軸２１，２１を駆動する。
【００６４】
こうすることにより、第４のシールモードに基いて横シール装置７を作動させると、両回転軸２１，２１の離間距離を大きくすると共に前記期間Ｔｐを確保することによって、両回転軸２１，２１間に大径の筒状包材Ｆｂを通過可能とすることができるから、前記第３のシールモードを選択した場合よりも、さらに大サイズの製袋が可能となる。しかも、製袋する袋Ｆｃの直径に基いて広げられたときの両回転軸２１，２１の水平方向の離間距離を設定するから、シールジョー２３，２３の動作を一層適正に設定することが可能となる。そして、横シール動作に際しては、回転軸２１，２１は所定の離間距離Ｍとなるように、つまり両回転軸２１，２１は所定の位置まで互いに接近するように駆動されるから、シールジョー２３…２３がいたずらに大きな軌跡を描くことはなく、高速化が維持されることになる。
【００６５】
以上説明したように、本実施の形態に係る製袋包装機１によれば、袋Ｆｃのサイズに応じてシールモードを設定することにより、いたずらに構成部品の大型化を招くことなく小サイズから大サイズまでの製袋が可能となる。
【００６６】
なお、前記実施の形態では、第３のシールモードにおいては、シール後は直線移動から一層高速とされた回転移動に移行していたが、その必要が認められない場合には、第１のシールモードと同様の移行方式を採用してもよい。つまり、図１０における時刻ｔ３，ｔ１１間の期間を図８における時刻ｔ１から次回の時刻ｔ１までの期間と同様に動作させてもよい。
【００６７】
また、前記実施の形態では、横シール機構７ａごとつまり回転軸２１ごとに一対のシールジョー２３，２３を備えていたが、生産性や設置スペース等の理由により、単一のシールジョーを備えてもよいし、また逆に個数を増加させてもよい。このような場合においても、前述のような作用効果が得られるのはいうまでもない。
【００６８】
【発明の効果】
以上説明したように、本発明によれば、横シール装置の大型化を回避しつつ、高速化が可能で、しかも袋のサイズの点で汎用性に富む製袋包装機が提供される。本発明は、袋を成形しながらその袋に物品を封入して袋詰め商品を連続生産する製袋包装機などの物品包装の技術分野に広く好適である。
【図面の簡単な説明】
【図１】本発明の実施の形態に係る製袋包装機の概略側面図である。
【図２】横シール装置の概略平面図である。
【図３】図２のｈ−ｈ線による要部矢視図である。
【図４】製袋包装機の主に横シール装置に係る制御システム図である。
【図５】シール前の横シール装置の状態を示し、図３に相当する図である。
【図６】シール後の横シール装置の状態を示し、図３に相当する図である。
【図７】物品噛み込み時のシールジョーの動作を説明するための要部側面図である。
【図８】第１のシールモードを説明するためのタイムチャートである。
【図９】第２のシールモードを説明するためのタイムチャートである。
【図１０】第３のシールモードを説明するためのタイムチャートである。
【図１１】第４のシールモードを説明するためのタイムチャートである。
【符号の説明】
１        製袋包装機
５        縦シール装置（縦シール手段）
７        横シール装置（横シール手段）
２１      回転軸
２３      シールジョー
２４      回転駆動用サーボモータ（回転駆動手段）
２５      水平駆動用サーボモータ（水平駆動手段）
６０      コントロールユニット（制御手段、モード設定手段）
６０ａ    メモリ（モード記憶手段）
Ｆａ，Ｆｂ    包材
Ｆｃ      袋
Ｘ        物品
【図１】
2004155464.tif 000003
【図２】
2004155464.tif 000004
【図３】
2004155464.tif 000005
【図４】
2004155464.tif 000006
【図５】
2004155464.tif 000007
【図６】
2004155464.tif 000008
【図７】
2004155464.tif 000009
【図８】
2004155464.tif 000010
【図９】
2004155464.tif 000011
【図１０】
2004155464.tif 000012
【図１１】
2004155464.tif 000013